(57)【要約】【課題】タグ付け文書作成者が意図したセキュリティレベルに応じた情報及び著作権情報を印刷データに付加することを目的とする。【解決手段】通信手段により接続された文書画像供給装置１００と印刷装置３００との間で利用される、ドキュメントの要素、構造、整形方法、階層構造を持つリンクファイル形式で記述されたタグ付け文書２より、セキュア情報を判定するセキュア判定手段３３と、リンク情報を判定するリンク判定手段３５と、リンク判定手段３５で判定したリンク情報に基づいて文書画像供給装置１００に対して当該リンク対象のオブジェクトデータの転送を要求するデータ転送要求手段３６と、セキュア判定手段３３で判定したセキュア情報からセキュアレベル、及び、セキュアデータのリンク情報を取得するセキュアデータ取得手段３４と、印刷データの作成を行う印刷データ作成手段３７とを備えている。【選択図】図１
2005153388.tif 000002
【特許請求の範囲】
【請求項１】
通信手段により接続された文書画像供給装置と印刷装置との間で利用される、ドキュメントの要素、構造、整形方法、階層構造を持つリンクファイル形式で記述されたタグ付け言語文書を印刷する印刷装置であって、
前記文書画像供給装置から転送されてきたタグ付け言語文書より、セキュア情報を判定するセキュア判定手段と、
リンク情報を判定するリンク判定手段と、
前記リンク判定手段で判定したリンク情報に基づいて前記文書画像供給装置に対して当該リンク対象のオブジェクトデータの転送を要求するデータ転送要求手段と、
前記セキュア判定手段で判定したセキュア情報からセキュアレベル、及び、セキュアデータのリンク情報を取得するセキュアデータ取得手段と、
印刷データの作成を行う印刷データ作成手段と
を備えたことを特徴とする印刷装置。
【請求項２】
前記リンク情報及びセキュア情報には、少なくとも前記文書画像供給装置が保持しているオブジェクトデータの格納場所を示すパス名やＵＲＩ情報の何れかが含まれていることを特徴とする請求項１記載の印刷装置。
【請求項３】
前記オブジェクトデータには、少なくとも１つ以上の画像データが含まれていることを特徴とする請求項１記載の印刷装置。
【請求項４】
前記セキュア情報には、日付け及び時刻情報等有効期限を表す情報が含まれることを特徴とする請求項１記載の印刷装置。
【請求項５】
前記通信手段は、インターネットなど外部との通信が可能であることを特徴とする請求項１記載の印刷装置。
【請求項６】
更に、前記セキュア判定手段、前記セキュアデータ取得手段によって取得したデータから印刷するかどうかを判定する印刷判定手段を備えたことを特徴とする請求項１記載の印刷装置。
【請求項７】
更に、前記セキュア判定手段によって判定されたセキュア情報及び著作権情報に基づいたセキュアレベルによって課金するかどうかを判定する課金判定手段を備えたことを特徴とする請求項１または６に記載の印刷装置。
【請求項８】
前記文書画像供給装置が入力用コンテンツと印刷用コンテンツの少なくとも２つ以上のタグ付文書から構成され、入力用コンテンツからセキュア情報を取得するセキュア情報取得手段と、印刷用コンテンツにセキュアデータを付加して印刷を行うセキュアデータ付加手段とを備えた請求項１，６，７のいずれかに記載の印刷装置。
【請求項９】
前記データ転送要求手段が、ＤＴＶ等中継装置へデータ転送を要求することを特徴とする請求項１，６，７のいずれかに記載の印刷装置。
【請求項１０】
更に、前記ＤＴＶ等中継装置内に通信手段、及びデータ取得手段を備え、前記印刷装置からデータ転送要求を受信した際、中継装置内にデータ転送要求に応じたオブジェクトデータが存在しなかった場合、リンク情報に基づき前記文書画像供給装置へデータ転送要求を行うことを特徴とする請求項１，６，７のいずれかに記載の印刷装置。
【請求項１１】
通信ステップにより接続された文書画像供給装置と印刷装置との間で利用される、ドキュ
メントの要素、構造、整形方法、階層構造を持つリンクファイル形式で記述されたタグ付け言語文書を印刷する印刷方法であって、
前記文書画像供給装置から転送されてきたタグ付け言語文書より、セキュア情報を判定するセキュア判定ステップと、
リンク情報を判定するリンク判定ステップと、
前記リンク判定ステップで判定したリンク情報に基づいて前記文書画像供給装置に対して当該リンク対象のオブジェクトデータの転送を要求するデータ転送要求ステップと、
前記セキュア判定ステップで判定したセキュア情報からセキュアレベル、及び、セキュアデータのリンク情報を取得するセキュアデータ取得ステップと、
印刷データの作成を行う印刷データ作成ステップと
を含むことを特徴とする印刷方法。
【請求項１２】
前記リンク情報及びセキュア情報には、少なくとも前記文書画像供給装置が保持しているオブジェクトデータの格納場所を示すパス名やＵＲＩ情報の何れかが含まれていることを特徴とする請求項１１記載の印刷方法。
【請求項１３】
前記オブジェクトデータには、少なくとも１つ以上の画像データが含まれていることを特徴とする請求項１１記載の印刷方法。
【請求項１４】
前記セキュア情報には、日付け及び時刻情報等有効期限を表す情報が含まれることを特徴とする請求項１１記載の印刷方法。
【請求項１５】
前記通信ステップは、インターネットなど外部との通信が可能であることを特徴とする請求項１１記載の印刷方法。
【請求項１６】
更に、前記セキュア判定ステップ、前記セキュアデータ取得ステップによって取得したデータから印刷するかどうかを判定する印刷判定ステップを含むことを特徴とする請求項１１記載の印刷方法。
【請求項１７】
更に、前記セキュア判定ステップによって判定されたセキュア情報及び著作権情報に基づいたセキュアレベルによって課金するかどうかを判定する課金判定ステップを含むことを特徴とする請求項１１または１６に記載の印刷方法。
【請求項１８】
前記文書画像供給装置が入力用コンテンツと印刷用コンテンツの少なくとも２つ以上のタグ付文書から構成され、入力用コンテンツからセキュア情報を取得するセキュア情報取得ステップと、印刷用コンテンツにセキュアデータを付加して印刷を行うセキュアデータ付加ステップとを含むことを特徴とする請求項１１，１６，１７のいずれかに記載の印刷方法。
【請求項１９】
前記データ転送要求ステップが、ＤＴＶ等中継装置へデータ転送を要求することを特徴とする請求項１１，１６，１７のいずれかに記載の印刷方法。
【請求項２０】
更に、前記ＤＴＶ等中継装置内に通信ステップ、及びデータ取得ステップを含み、前記印刷装置からデータ転送要求を受信した際、中継装置内にデータ転送要求に応じたオブジェクトデータが存在しなかった場合、リンク情報に基づき前記文書画像供給装置へデータ転送要求を行うことを特徴とする請求項１１，１６，１７のいずれかに記載の印刷方法。
【請求項２１】
通信手段により接続された文書画像供給装置と印刷装置との間で利用される、ドキュメントの要素、構造、整形方法、階層構造を持つリンクファイル形式で記述されたタグ付け言語文書を印刷する印刷システムであって、
前記文書画像供給装置から転送されてきたタグ付け言語文書より、セキュア情報を判定するセキュア判定手段と、
リンク情報を判定するリンク判定手段と、
前記リンク判定手段で判定したリンク情報に基づいて前記文書画像供給装置に対して当該リンク対象のオブジェクトデータの転送を要求するデータ転送要求手段と、
前記セキュア判定手段で判定したセキュア情報からセキュアレベル、及び、セキュアデータのリンク情報を取得するセキュアデータ取得手段と、
印刷データの作成を行う印刷データ作成手段と
を備えたことを特徴とする印刷システム。
【発明の詳細な説明】
【技術分野】
【０００１】
本発明は、タグ付け文書特にセキュアなコンテンツの印刷装置、印刷方法、並びに印刷システムに関するものである。
【背景技術】
【０００２】
従来より、書式情報などを指示するタグをテキストに加えたハイパーテキストなどのマークアップランゲージＭＬをブラウザソフトを使用してコンピュータディスプレイに表示することが行われている。マークアップランゲージＭＬとしては、ＸＨＴＭＬ（Ｅｘｔｅｎｓｉｂｌｅ  Ｈｙｐｅｒ  Ｔｅｘｔ  Ｍａｒｋｕｐ  Ｌａｎｇｕａｇｅ）、ＨＴＭＬ（Ｈｙｐｅｒ  Ｔｅｘｔ  Ｍａｒｋｕｐ  Ｌａｎｇｕａｇｅ）、ＸＭＬ（Ｅｘｔｅｎｓｉｂｌｅ  Ｍａｒｋｕｐ  Ｌａｎｇｕａｇｅ）がある。このマークアップランゲージＭＬで記述されたファイルは主としてＷｅｂサーバに格納されており、種々のネットワークを介してＷｅｂサーバと接続したブラウザが、マークアップランゲージＭＬを解釈してディスプレイに表示したり印刷したり、容易に行うことができる。
【０００３】
著作権を有するコンテンツデータの印刷制限の例として特許文献１の画像処理装置がある。
【０００４】
実施の形態は、従来の画像処理装置の構成を示すブロック図であり、電子データの著作権データが含まれる場合の印刷制限を目的とし、プリントデータ入力装置ａとデータの中から著作権情報を検出する著作権情報検出手段ｂと、著作権に関する情報から著作権情報を判別する著作権情報判別手段ｃと、著作権情報判別手段ｃによる判別結果に応じてコピー禁止などの情報を生成するコピー禁止情報生成手段ｄと、コピー禁止情報を印刷物に付加するコピー禁止情報付加手段ｅ、及びプリント手段ｆとを備えている。
【特許文献１】特開２０００−１９６７８６号公報
【発明の開示】
【発明が解決しようとする課題】
【０００５】
しかし、特許文献１に記載された画像処理装置は、印刷物にコピー禁止を付加することにより、コピーの禁止を目的としているため、著作権者の意図する著作権情報を印刷物に印刷できないという問題点がある。
【０００６】
本発明は、通信手段により接続された文書画像供給装置と階層構造を持つリンクファイル形式で記述されたタグ付け言語文書を印刷する印刷装置において、セキュリティレベルに応じた情報及び著作権者の意図する最新の情報を付加することのできる印刷装置を提供することを目的とする。
【課題を解決するための手段】
【０００７】
本発明は、通信手段により接続された文書画像供給装置と階層構造を持つリンクファイル形式で記述されたタグ付け言語文書を印刷する印刷装置において、文書画像供給装置から転送されてきたタグ付け言語文書より、セキュア情報及びリンク情報を判定し、その判定したリンク情報に基づいて文書画像供給装置に対して当該リンク対象のオブジェクトデータの転送を要求し、また前記判定したセキュア情報からセキュアレベル、及び、セキュアデータのリンク情報を取得して印刷データの作成を行うことを主要な特徴とする。
【発明の効果】
【０００８】
本発明によれば、リンク情報に記載されているインターネット上の画像供給装置などか
ら通信手段を通じて著作権者の意図する著作権情報を得ることにより、印刷物に著作権情報を付加することができ、これにより、固有の著作権情報ではなく、セキュリティレベルに応じた情報及び著作権者の意図する最新の情報を付加することが可能となる。
【発明を実施するための最良の形態】
【０００９】
本発明は、セキュリティレベルに応じた情報及び著作権者の意図する最新の情報を付加することのできる印刷装置を提供するという目的を、通信手段により接続された文書画像供給装置と階層構造を持つリンクファイル形式で記述されたタグ付け言語文書を印刷する印刷装置において、文書画像供給装置から転送されてきたタグ付け言語文書より、セキュア情報及びリンク情報を判定し、その判定したリンク情報に基づいて文書画像供給装置に対して当該リンク対象のオブジェクトデータの転送を要求し、また前記判定したセキュア情報からセキュアレベル、及び、セキュアデータのリンク情報を取得して印刷データの作成を行うことで実現した。
【００１０】
上記課題を解決するためになされた第１の発明は、通信手段により接続された文書画像供給装置と印刷装置との間で利用される、ドキュメントの要素、構造、整形方法、階層構造を持つリンクファイル形式で記述されたタグ付け言語文書を印刷する印刷装置であって、文書画像供給装置から転送されてきたタグ付け言語文書より、セキュア情報を判定するセキュア判定手段と、リンク情報を判定するリンク判定手段と、リンク判定手段で判定したリンク情報に基づいて文書画像供給装置に対して当該リンク対象のオブジェクトデータの転送を要求するデータ転送要求手段と、セキュア判定手段で判定したセキュア情報からセキュアレベル、及び、セキュアデータのリンク情報を取得するセキュアデータ取得手段と、印刷データの作成を行う印刷データ作成手段とを備えた印刷装置としたものであり、タグ付け文書作成者が意図したセキュリティレベルに応じた情報及び著作権情報を印刷データに付加することが可能となるという作用を有する。
【００１１】
上記課題を解決するためになされた第２の発明は、第１の発明において、リンク情報及びセキュア情報には、少なくとも文書画像供給装置が保持しているオブジェクトデータの格納場所を示すパス名やＵＲＩ（Ｕｎｉｆｏｒｍ  Ｒｅｓｏｕｒｃｅ  Ｉｄｅｎｔｉｆｉｅｒｓ）情報の何れかが含まれていることを特徴とするものであり、オブジェクトデータの格納場所がネットワーク上、ローカルに依存しないで利用できるという作用を有する。
【００１２】
上記課題を解決するためになされた第３の発明は、第１の発明において、オブジェクトデータには、少なくとも１つ以上の画像データが含まれていることを特徴とするものであり、タグ付け文書作成者又は著作権者の意図する著作権情報として１つ以上の画像を付加することが可能となるという作用を有する。
【００１３】
上記課題を解決するためになされた第４の発明は、第１の発明において、セキュア情報には、日付け及び時刻情報等有効期限を表す情報が含まれることを特徴とするものであり、期限付きのセキュリティを設定することができるという作用を有する。
【００１４】
上記課題を解決するためになされた第５の発明は、第１の発明において、通信手段は、インターネットなど外部との通信が可能であることを特徴とするものであり、タグ付け文書、オブジェクトデータ、著作権データをインターネット上の幅広い範囲から利用できるという作用を有する。
【００１５】
上記課題を解決するためになされた第６の発明は、第１の発明において、セキュア判定手段、セキュアデータ取得手段によって取得したデータから印刷するかどうかを判定する印刷判定手段を備えたことを特徴とするものであり、タグ付文書作成者又は著作権者の意図するセキュリティレベルによって印刷制御を行うことができるという作用を有する。
【００１６】
上記課題を解決するためになされた第７の発明は、第１または第６の発明において、セキュア判定手段によって判定されたセキュアレベルによって課金するかどうかを判定する課金判定手段を備えたことを特徴とするものであり、タグ付け文書作成者の意図するセキュリティレベル、著作権情報によって課金することが可能となるという作用を有する。
【００１７】
上記課題を解決するためになされた第８の発明は、第１，第６または第７の発明において、文書画像供給装置が入力用コンテンツと印刷用コンテンツの少なくとも２つ以上のタグ付文書から構成され、入力用コンテンツからセキュア情報を取得するセキュア情報取得手段と、印刷用コンテンツにセキュアデータを付加して印刷を行うセキュアデータ付加手段とを備えたことを特徴とするものであり、タグ付け文書作成者又はタグ付け文書に含まれるオブジェクトの著作権者が意図する情報がインターネット上から取得でき、印刷装置及びタグ付け文書が格納されている文書画像供給装置に依存しなくてもよいという作用を有する。
【００１８】
上記課題を解決するためになされた第９の発明は、第１，第６または第７の発明において、データ転送要求手段が、ＤＴＶ（デジタルテレビ）等中継装置へデータ転送を要求することを特徴とするものであり、オブジェクトデータをインターネットなど外部へ取得しなくてよくなるという作用を有する。
【００１９】
上記課題を解決するためになされた第１０の発明は、第１，第６または第７の発明において、ＤＴＶ等中継装置内に通信手段、及びデータ取得手段を備え、印刷装置からデータ転送要求を受信した際、中継装置内にデータ転送要求に応じたオブジェクトデータが存在しなかった場合、リンク情報に基づき文書画像供給装置へデータ転送要求を行うことを特徴とするものであり、オブジェクトを近いところから検索することが可能となるという作用を有する。
【００２０】
上記課題を解決するためになされた第１１の発明は、通信ステップにより接続された文書画像供給装置と印刷装置との間で利用される、ドキュメントの要素、構造、整形方法、階層構造を持つリンクファイル形式で記述されたタグ付け言語文書を印刷する印刷方法であって、文書画像供給装置から転送されてきたタグ付け言語文書より、セキュア情報を判定するセキュア判定ステップと、リンク情報を判定するリンク判定ステップと、リンク判定ステップで判定したリンク情報に基づいて文書画像供給装置に対して当該リンク対象のオブジェクトデータの転送を要求するデータ転送要求ステップと、セキュア判定ステップで判定したセキュア情報からセキュアレベル、及び、セキュアデータのリンク情報を取得するセキュアデータ取得ステップと、印刷データの作成を行う印刷データ作成ステップとを備えたものであり、タグ付け文書作成者が意図したセキュリティレベルに応じた情報及び著作権情報を印刷データに付加することができるようになるという作用を有する。
【００２１】
上記課題を解決するためになされた第１２の発明は、第１１の発明において、リンク情報及びセキュア情報には、少なくとも文書画像供給装置が保持しているオブジェクトデータの格納場所を示すパス名やＵＲＩ情報の何れかが含まれていることを特徴とするものであり、オブジェクトデータの格納場所がネットワーク上、ローカルに依存しないで利用できるという作用を有する。
【００２２】
上記課題を解決するためになされた第１３の発明は、第１１の発明において、オブジェクトデータには、少なくとも１つ以上の画像データが含まれていることを特徴とするものであり、タグ付け文書作成者又は著作権者の意図する著作権情報として１つ以上の画像を付加することが可能となるという作用を有する。
【００２３】
上記課題を解決するためになされた第１４の発明は、第１１の発明において、セキュア情報には、日付け及び時刻情報等有効期限を表す情報が含まれることを特徴とするものであり、期限付きのセキュリティを設定することができるという作用を有する。
【００２４】
上記課題を解決するためになされた第１５の発明は、第１１の発明において、通信ステップには、インターネットなど外部との通信が可能であることを特徴とするものであり、タグ付け文書、オブジェクトデータ、著作権データをインターネット上の幅広い範囲から利用できるという作用を有する。
【００２５】
上記課題を解決するためになされた第１６の発明は、第１１の発明において、更に、セキュア判定ステップ及びセキュアデータ取得ステップによって取得したデータから印刷するかどうかを判定する印刷判定ステップを含むことを特徴とするものであり、タグ付文書作成者又は著作権者の意図するセキュリティレベルによって印刷制御を行うことが可能になるという作用を有する。
【００２６】
上記課題を解決するためになされた第１７の発明は、第１１または第１６の発明において、更に、セキュア判定ステップによって判定されたセキュア情報及び著作権情報に基づいたセキュアレベルによって課金するかどうかを判定する課金判定ステップを含むことを特徴とするものであり、タグ付け文書作成者の意図するセキュリティレベル、著作権情報によって課金することが可能となるという作用を有する。
【００２７】
上記課題を解決するためになされた第１８の発明は、第１１，第１６または第１７の発明において、文書画像供給装置が入力用コンテンツと印刷用コンテンツの少なくとも２つ以上のタグ付文書から構成され、入力用コンテンツからセキュア情報を取得するセキュア情報取得ステップと、印刷用コンテンツにセキュアデータを付加して印刷を行うセキュアデータ付加ステップとを含むことを特徴とするものであり、タグ付け文書作成者又はタグ付け文書に含まれるオブジェクトの著作権者が意図する情報がインターネット上から取得でき、印刷装置及びタグ付け文書が格納されている装置に依存しなくてもよいという作用を有する。
【００２８】
上記課題を解決するためになされた第１９の発明は、第１１，第１６または第１７の発明において、データ転送要求ステップが、ＤＴＶ等中継装置へデータ転送を要求することを特徴とするものであり、オブジェクトデータをインターネットなど外部へ取得しなくてよくなるという作用を有する。
【００２９】
上記課題を解決するためになされた第２０の発明は、第１１，第１６または第１７の発明において、更に、ＤＴＶ等中継装置内に通信ステップ、及びデータ取得ステップを含み、印刷装置からデータ転送要求を受信した際、中継装置内にデータ転送要求に応じたオブジェクトデータが存在しなかった場合、リンク情報に基づき文書画像供給装置へデータ転送要求を行うことを特徴とするものであり、オブジェクトを近いところから検索することが可能となるという作用を有する。
【００３０】
上記課題を解決するためになされた第２１の発明は、通信手段により接続された文書画像供給装置と印刷装置との間で利用される、ドキュメントの要素、構造、整形方法、階層構造を持つリンクファイル形式で記述されたタグ付け言語文書を印刷する印刷システムであって、文書画像供給装置から転送されてきたタグ付け言語文書より、セキュア情報を判定するセキュア判定手段と、リンク情報を判定するリンク判定手段と、リンク判定手段で判定したリンク情報に基づいて文書画像供給装置に対して当該リンク対象のオブジェクトデータの転送を要求するデータ転送要求手段と、セキュア判定手段で判定したセキュア情報からセキュアレベル、及び、セキュアデータのリンク情報を取得するセキュアデータ取
得手段と、印刷データの作成を行う印刷データ作成手段とを備えた印刷システムであり、タグ付け文書作成者が意図したセキュリティレベルに応じた情報及び著作権情報を印刷データに付加することが可能となるという作用を有する。
【００３１】
以下、本発明の実施の形態について図１から図８を用いて詳細に説明する。
【００３２】
（実施の形態１）
図１は、本発明を適用した実施の形態１に係る印刷システムの構成を示す機能ブロック図である。
【００３３】
図１において、データ転送手段７を介して文書画像供給装置１００と、中継装置２００と印刷装置３００が相互接続されている。文書画像供給装置１００は、データ転送手段７を介してインターネットなど通信バス上に接続されており、インターネット上からアクセスできるようサーバ機能を有している。中継装置２００は、デジタルテレビ（ＤＴＶ）あるいは、セットトップボックス（ＳＴＢ）などであるが、その他データソース源となるものであれば何にでも適用可能である。また、印刷装置３００は、プリンタあるいはファクシミリ等など出力機能を備えた装置である。さらにデータ転送手段７は、バスあるいは公衆網、専用回線、ＬＡＮ、インターネット、ＩＥＥＥ１３９４などのデータ転送可能な手段である。
【００３４】
図１において、データ転送手段７は、ここではＬＡＮ及びそれに準ずるバスとする。文書画像供給装置１００はインターネット上に接続されたコンテンツサーバとし、印刷装置３００としてプリンタを使用した場合の内部構成を示している。
【００３５】
図１に示すように、文書画像供給装置１００は、以下の手段で構成されている。文書画像供給装置１００は、階層構造をもつリンクファイルなどのコンテンツファイル、ここではＨＴＭＬ形式で記述されたタグ付け文書２、及びコンテンツファイルに記述された画像などのオブジェクトデータ３と、インターネットのアクセスプロトコルであるＨＴＴＰ（Ｈｙｐｅｒｔｅｘｔ  Ｔｒａｎｓｆｅｒ  Ｐｒｏｔｏｃｏｌ）などのプロトコルをサポートし、通信を行う通信手段１を備えている。
【００３６】
中継装置２００は、本実施の形態では、デジタルテレビとし、データを格納するための中継バッファ１１及びインターネット上にアクセスするためのＨＴＴＰプロトコルなどのプロトコルをサポートしている通信手段１２、印刷指示を行う印刷要求手段１３から構成されている。
【００３７】
印刷装置３００は、プリンタとしインターネット上の文書画像供給装置１００及び中継装置２００へのアクセスするためのＨＴＴＰプロトコルなどを備えている通信手段３１と、通信手段３１を介し、文書画像供給装置１００及び中継装置２００から受信したデータを格納するための受信バッファ３２と、受信バッファ３２に格納されているデータからオブジェクトデータ３及びタグ付け文書２のリンク情報を判定するリンク判定手段３５と、リンク判定手段３５により、画像等のオブジェクトデータなどを要求するデータ転送要求手段３６と、受信バッファ３２に格納されているデータからセキュリティ情報が記載されているタグ情報を判別するセキュア判定手段３３と、セキュア判定手段３３によりセキュアデータを取得するセキュアデータ取得手段３４と、送受信バッファで受信したバッファから印刷データを作成する印刷データ作成手段３７とを備えた構成となっている。なお、受信バッファ３２は、データ転送要求手段３６、セキュアデータ取得手段３４によって文書画像供給装置１００、又は中継装置２００からデータを受信するものである。
【００３８】
次に以上のように構成された印刷システム１０００の動作を図１、図３、図４、図５、
図６、図７を用いて説明する。
【００３９】
図３は、セキュア情報を含んだタグ付文書のトップファイルの一例を表しており、課金、印刷判定、著作権表示情報などを含んでいる。
【００４０】
図４は、図３で記述されたタグ付け文書をプリンタで印刷した場合の印刷結果の一例である。
【００４１】
図５（ａ）〜（ｅ）は、セキュア情報を含んだコンテンツを印刷する場合の一例で課金、期間がデジタルテレビを通じてユーザに表示される流れである。
【００４２】
図５（ａ）は、デジタルテレビでＷｅｂページ及びＴ−ｎａｖｉサイトなどデジタルテレビ上で表示されるインターネット上に接続されたコンテンツサーバ上にコンテンツが表示されている状態で、コンテンツを閲覧しているユーザは、表示しているコンテンツ又は、表示コンテンツとは異なる印刷専用のコンテンツを印刷できる状態にある。
【００４３】
図５（ｂ）は、コンテンツ内部にセキュア情報があり、そのセキュア情報から課金による印刷が示された状態で、デジタルテレビでコンテンツを閲覧及び印刷しようとしたユーザは、予め購入した印刷許可番号を入力するか、ネットワーク上に接続されたコンテンツサーバに対して購入操作を行わなければ印刷が行えない状態を示している。
【００４４】
図５（ｃ）は、前記図５（ｂ）で購入操作が行われた状態で、デジタルテレビは、図３に示されているコンテンツのセキュア情報に基づいて課金情報を表示している状態である。
【００４５】
図５（ｄ）は、前記図５（ｃ）で購入操作が行われた状態でユーザがクレジットカードや予め登録した顧客の決裁方法を選択する状態である。
【００４６】
図５（ｅ）は、ユーザの決裁が済んだ状態で、印刷可能な状態を示すものである。
【００４７】
図６は、図３で記述されたセキュア情報の一例であり、セキュリティレベル、期間、課金情報、著作権画像などの情報を示すものである。
【００４８】
図７は、印刷システム１０００の処理フローの一例を示すフローチャートである。
【００４９】
図７において、ステップ１１０は、図５（ａ）の一例にあるようにデジタルテレビで表示されているコンテンツをユーザが閲覧し、ユーザが印刷指示を行った場合に印刷要求手段１３から通信手段１２の通信プロトコルを通じてプリンタに印刷要求としてコンテンツのトップページを送信する。
【００５０】
ステップ１１１は、プリンタ側は通信手段３１の通信プロトコルを通じてトップページを受信バッファ３２に受信し、リンク判定手段３５にて最上位階層データＵＲＩを取得する。
【００５１】
ステップ１１２は、リンク判定手段３５で取得した最上位階層データＵＲＩに基づき、データ転送要求手段３６にて、ＰＵＬＬすべきデータがあるかどうかを判定し、ＰＵＬＬすべきデータがない場合は終了する。
【００５２】
ステップ１１３は、データ転送要求手段３６にて、ＰＵＬＬすべきデータがある場合、通信手段３１の通信プロトコルを通じてコンテンツサーバである文書画像供給装置１００
に対しデータ転送要求を行う。
【００５３】
ステップ１１４は、受信バッファ３２で受信したトップページをセキュア判定手段３３にて、セキュア情報があるかどうかを判定する。図３の一例に示すセキュア情報が記載されたタグがなければ、印刷データ作成手段３７へ転送し印刷処理を行う。
【００５４】
ステップ１１５は、ステップ１１４にてセキュア情報が記載されたタグがある場合で、セキュアデータ取得手段３４でタグに記載されているＵＲＩを取得し、通信手段３１の通信プロトコルを通じてコンテンツサーバである文書画像供給装置１００に対しセキュアデータの転送要求を行う。
【００５５】
但し、コンテンツサーバである文書画像供給装置１００は、送受信バッファで受信したトップページと必ずしも一致している必要はなく、インターネット上に接続されている文書画像供給装置全てが該当する。
【００５６】
ステップ１１６は、セキュアデータ取得手段３４にて文書画像供給装置１００に対してセキュアデータ取得要求が行われ、通信手段３１の通信プロトコルを介して受信バッファ３２にて図６の一例に示すようなセキュア情報を受信し、セキュアデータの取得を行う。
【００５７】
ステップ１１７は、ステップ１１６にて取得したセキュアデータとステップ１１３にて受信したＰＵＬＬデータを印刷データ作成手段３７にてラスタライズ処理を行い、印刷を行う。
【００５８】
（実施の形態２）
図２は、本発明を適用した印刷システム２０００の構成を示すブロック図である。
【００５９】
図２において、配信サーバ７１０と、データ転送手段４０を介して文書画像供給装置４００と、中継装置５００と、印刷装置６００が相互接続されている。配信サーバ７１０は、デジタルテレビなどに表示される表示用コンテンツを格納した表示用コンテンツＤＢ７１１と、デジタルテレビなど表示媒体には表示されず、プリンタなど出力装置のみに提供される出力専用コンテンツを格納している印刷用コンテンツＤＢ７１２と、表示用コンテンツ、印刷用コンテンツなどのコンテンツデータ及び送信する際の制御データが流れるデータバス７１４と、表示用コンテンツ、印刷用コンテンツを放送波に乗せる送信部７１３とを備えている。
【００６０】
文書画像供給装置４００は、データ転送手段４０を介してインターネットなど通信バス上に接続されており、インターネット上からアクセスできるようサーバ機能を有しており、階層構造をもつリンクファイルなどのコンテンツファイルここではＨＴＭＬ形式で記述されたタグ付け文書６０及びコンテンツファイルに記述された画像などのオブジェクトデータ６２、通信プロトコルを介して通信を行う通信手段６１を備えている。
【００６１】
中継装置５００は、デジタルテレビあるいは、セットトップボックス（ＳＴＢ）などであるが、その他データソース源となるものであれば何にでも適用可能であり、配信サーバ７１０及び文書画像供給装置４００からの表示コンテンツ及び印刷コンテンツを格納する中継バッファ７０と、オブジェクトデータを文書画像供給装置４００などから取得するためのデータ取得手段７２と、通信プロトコルにより文書画像供給装置４００、印刷装置６００と通信を行う通信手段７１と、表示コンテンツ及びユーザのリモコン操作などから印刷指示を行う印刷要求手段７３とを備えている。
【００６２】
また、中継バッファ７０では配信サーバ７１０、文書画像供給装置４００から受信した
トップページ及びオブジェクトデータの全てを格納することができるものであり、印刷装置６００からオブジェクトデータ及びコンテンツデータの転送要求が行われた場合、データ取得手段７２は、中継バッファを検索した後、当該オブジェクト又はコンテンツが存在しなかった場合に文書画像供給装置４００へデータを取得処理を行う。
【００６３】
印刷装置６００は、プリンタあるいはファクシミリ等など出力機能を備えた装置であり、本実施の形態ではプリンタとし、インターネット上の文書画像供給装置４００及び中継装置５００へアクセスするためのＨＴＴＰプロトコルなどを備えている通信手段９０と、通信手段９０を介し、文書画像供給装置４００及び中継装置５００から受信したデータを格納するための受信バッファ９１と、受信バッファ９１に格納されているデータからオブジェクトデータ及びタグ付け文書６０、印刷コンテンツのリンク情報を判定するリンク判定手段９２と、リンク判定手段９２により、画像等のオブジェクトデータなどを要求するデータ転送要求手段９６と、受信バッファ９１に格納されているデータからセキュリティ情報が記載されているタグ情報を判別するセキュア判定手段９４と、セキュア判定手段９４によりセキュアデータを取得するセキュアデータ取得手段９５と、セキュア情報から課金するかどうかを判定する課金判定手段９３と、課金判定手段９３から印刷するかどうかを判定する印刷判定手段９７と、印刷データを作成する印刷データ作成手段９８とを備えた構成となっている。なお、受信バッファ９１は、データ転送要求手段９６およびセキュアデータ取得手段９５によって、文書画像供給装置４００又は中継装置５００からデータを受信するものである。さらにデータ転送手段４０は、バスあるいは公衆網、専用回線、ＬＡＮ、インターネット、ＩＥＥＥ１３９４などのデータ転送可能な手段である。
【００６４】
図２は、文書画像供給装置４００としてインターネット上に接続されたコンテンツサーバとし、印刷装置６００としてプリンタを使用した場合の内部構成を示し、図８はその動作の一例を示すフロー図である。
【００６５】
図８において、ステップ２１０は、図５（ａ）の一例にあるように配信サーバ７１０から表示用コンテンツＤＢ７１１及び印刷用コンテンツＤＢ７１２に格納されているそれぞれのコンテンツをデータバス７１４を通じて、放送波に乗せるため、送信部７１３に送信し、それぞれのデータをまとめ放送波に乗せる。デジタルテレビでは、放送波を受信し表示用コンテンツをデジタルテレビに表示している。表示用コンテンツに表示している印刷ボタン及びリモコンよりユーザが印刷指示を行うと、印刷要求手段７３にて印刷用コンテンツのトップページを通信プロトコルを備えた通信手段７１を通じて印刷装置６００へデータを転送する。
【００６６】
ステップ２１１は、印刷装置６００は、通信手段９０の通信プロトコルを通じて印刷コンテンツのトップページを受信バッファ９１で受信し、リンク判定手段９２にて最上位階層データＵＲＩを取得する。
【００６７】
ステップ２１２は、リンク判定手段９２で取得した最上位階層データＵＲＩに基づき、データ転送要求手段９６にて、ＰＵＬＬすべきデータがあるかどうかを判定し、ＰＵＬＬすべきデータがない場合は終了する。
【００６８】
ステップ２１３は、データ転送要求手段９６にて、ＰＵＬＬすべきデータがある場合、通信手段９０の通信プロトコルを通じて中継装置５００に対しデータ転送要求を行う。中継装置５００では通信手段７１にて通信プロトコルを通じて受信したデータ転送要求を受け、データ取得手段７２に配信サーバ７１０又は文書画像供給装置４００から受信したデータを格納している中継バッファ７０に当該データがあるかどうかを検索する。データ取得手段７２は、当該データが発見できなかった場合、印刷装置６００から受信したＵＲＩリンク情報に基づき通信手段７１を通じて文書画像供給装置４００などにデータ転送要求
を行う。
【００６９】
ステップ２１４は、受信バッファ９１で受信したトップページをセキュア判定手段９４にて、セキュア情報があるかどうかを判定する。図３の一例に示すセキュア情報が記載されたタグがなければ、印刷データ作成手段９８へ転送し印刷処理を行う。
【００７０】
ステップ２１５は、ステップ２１４にてセキュア情報が記載されたタグがある場合で、セキュアデータ取得手段９５でタグに記載されているＵＲＩを取得し、通信手段９０の通信プロトコルを通じて中継装置５００又は、文書画像供給装置４００に対しセキュアデータの転送要求を行う。
【００７１】
但し、コンテンツサーバである文書画像供給装置４００は、送受信バッファで受信したトップページと必ずしも一致している必要はなく、インターネット上に接続されている文書画像供給装置全てが該当する。
【００７２】
ステップ２１６は、セキュアデータ取得手段９５にて前記中継装置５００又は、文書画像供給装置４００に対してセキュアデータ取得要求が行われ、通信手段９０の通信プロトコルを介して受信バッファ９１にて図６の一例に示すようなセキュア情報を受信し、セキュアデータの取得を行う。
【００７３】
ステップ２１７は、セキュアデータ取得手段９５で取得したセキュアデータの中に課金を示す情報が記述されていた場合であって、課金判定手段９３にて課金を行うかどうかの判定を行う。課金の必要性がない場合は、印刷データ作成手段９８へ転送し印刷処理を行う。
【００７４】
ステップ２１８は、課金を行う必要性のあるコンテンツの場合、課金判定手段９３は、セキュアデータ取得手段９５で取得したセキュアデータの中から決裁済みかどうかのフラグを含んだ課金情報を取得する。
【００７５】
ステップ２１９は、ステップ２１８で取得した課金情報から課金判定手段９３が課金済みかどうかの判定を行う。
【００７６】
ステップ２２０は、印刷判定手段９７が課金判定手段９３及びセキュアデータ取得手段９５で取得したセキュア情報に基づき印刷を行うかどうかの判定を行う。
【００７７】
ステップ２２１は、ステップ２１６にて取得したセキュアデータとステップ２１３にて受信したＰＵＬＬデータを印刷データ作成手段９８に転送し、ラスタライズ処理を行い、印刷を行う。
【産業上の利用可能性】
【００７８】
本発明は、セキュリティレベルに応じた情報及び著作権者の意図する最新の情報を付加する印刷装置、印刷方法、並びに印刷システムとして利用することができる。
【図面の簡単な説明】
【００７９】
【図１】本発明を適用した実施の形態１に係る印刷システムの構成を示す機能ブロック図
【図２】本発明を適用した実施の形態２に係る印刷システムの構成を示す機能ブロック図
【図３】セキュア情報を含んだタグ付文書のトップファイルの一例を示す図
【図４】タグ付け文書をプリンタで印刷した場合の印刷結果の一例を示す図
【図５】セキュア情報を含んだコンテンツを印刷する場合の一例を示す図
【図６】セキュア情報記述の一例を示す図
【図７】本発明の実施の形態１に係る印刷システムの処理フローの一例を示すフローチャート
【図８】本発明の実施の形態２に係る印刷システムの処理フローの一例を示すフローチャート
【図９】従来の画像処理装置の構成を示すブロック図
【符号の説明】
【００８０】
１，６１    通信手段
２，６０    タグ付け文書
３，６２    オブジェクトデータ
７，４０    データ転送手段
１１，７０    中継バッファ
１２，７１    通信手段
１３，７３    印刷要求手段
３１，９０    通信手段
３２，９１    受信バッファ
３３，９４    セキュア判定手段
３４，９５    セキュアデータ取得手段
３５，９２    リンク判定手段
３６，９６    データ転送要求手段
３７，９８    印刷データ作成手段
７２    データ取得手段
９３    課金判定手段
９７    印刷判定手段
１００，４００    文書画像供給装置
２００，５００    中継装置
３００，６００    印刷装置
７１０    配信サーバ
７１１    表示用コンテンツＤＢ
７１２    印刷用コンテンツＤＢ
７１３    送信部
７１４    データバス
１０００，２０００    印刷システム
【図１】
2005153388.tif 000003
【図２】
2005153388.tif 000004
【図３】
2005153388.tif 000005
【図４】
2005153388.tif 000006
【図５】
2005153388.tif 000007
【図６】
2005153388.tif 000008
【図７】
2005153388.tif 000009
【図８】
2005153388.tif 000010
【図９】
2005153388.tif 000011